(57)【要約】      （修正有）【課題】外気温に応じて温水温度を制御すると共に、任意の時間帯において任意の温度を設定できるようにする。【解決手段】外気温測定用の外気センサと、温水温測定用の温水センサとを接続した外気と温水の温度自動制御器と、設定時間帯の温水温を設定し、温度を保持させる設定タイムスイッチとを組み合わせた外気温に対応する温水温度調節装置により、目的を達成した。【選択図】図１
0003134180.tif 000002
【実用新案登録請求の範囲】
【請求項１】
外気と温水の温度自動制御器と、外気温測定用の外気センサと、温水温測定用の温水センサとを組み合わせて、前記温度自動制御器により外気温の変化に対応して温水温を調節したことを特徴とする外気温に対応する温水温度調節装置。
【請求項２】
外気温測定用の外気センサと、温水温測定用の温水センサとを接続した外気と温水の温度自動制御器と、設定時間帯の温水温を設定し、その温度を保持させるように設定できる設定タイムスイッチとを組み合わせたことを特徴とする外気温に対応する温水温度調節装置。
【考案の詳細な説明】
【技術分野】
【０００１】
この考案は、養魚用温水の温度制御又は園芸用温室における温水暖房システムにおけるボイラー温水温設定温度の制御を目的とした外気温に対応する温水温度調節装置に関する。
【背景技術】
【０００２】
従来外気温とボイラー温水温度との間に、一定の数式を用いて制御する方式が提案されていた。
【０００３】
また前記制御方式において、前記温度変化を自動的に多段に変更する温水暖房システムの多段変温型制御方法の提案もある。
【特許文献１】特公平２−４９６８５
【特許文献２】特公平４−４６５３３
【特許文献３】特許第３８６１８０７
【考案の開示】
【考案が解決しようとする課題】
【０００４】
従来外気温と室内温度とに温水温度一定の関係を保つように、自動温度制御したり、温水温度を設定する発明は色々提案され、成果を上げている（特許文献１〜３）。
【０００５】
然し乍ら、温水温度自動設定中の所定時間帯の温度を変化させる必要があった場合には、専ら手動で対応していた。
【０００６】
前記のような手動対応は、当該時間に監理者が監視対応する必要があり、不正確になり易いのみならず、間違え易く、思い違いの為に失敗するおそれもあった。例えば、養魚などにおいて、或一定時間帯の温度を上昇（又は下降）させる必要がある場合がある（例えば養鰻槽）。また例えば夜中の１時〜３時、或いは夜明け時の４時〜６時には、気温が急激に低下するので、予め温水温度を高くしておかないと間に合わないことがある。
【０００７】
そこで夜中の１時〜３時まで、又は４時〜６時までの温度設定するには、現在の装置では、手動調整が必要不可欠という問題点があった。
【課題を解決するための手段】
【０００８】
この考案は、外気温の変化に対応して温水温度を調整することにより、供給温水温度を一定に保つこととし、かつタイムスイッチをセットすることにより一定時間帯に設定温度の温水の供給を確保させることに成功し、前記従来の問題点を解決したのである。
【０００９】
即ちこの考案は、外気と温水の温度自動制御器と、外気温測定用の外気センサと、温水温測定用の温水センサとを組み合わせて、前記温度自動制御器により外気温の変化に対応して温水温を調節したことを特徴とする外気温に対応する温水温度調節装置である。
【００１０】
また他の考案は、外気温測定用の外気センサと、温水温測定用の温水センサとを接続した外気と温水の温度自動制御器と、設定時間帯の温水温を設定し、その温度を保持させるように設定できる設定タイムスイッチとを組み合わせたことを特徴とする外気温に対応する温水温度調節装置である。
【００１１】
前記考案において、温度設定することにより、気温による温水温度の自動調整精度を高め、かつ調整時間を短縮させることができる。
【００１２】
また一定時間一定温度を必要とする場合に、手動切換では、少なくとも当該時間に監理者がその場所にいることが条件になり、苛酷な作業を強いる結果になるおそれがあり、或いは忘れたり、間違えるおそれがある。
【００１３】
例えば養鰻においては、捕獲前の一定時間高温（通常の温度より２〜５度高くする）にすることが好ましいとされているが、このような場合に、この考案の装置によれば、１日２４時間の如何なる時間帯でも長短任意時間に一定の温水温度設定し、外気に関係なく、設定温度を保つことができる。
【００１４】
この場合の設定は、手動設定と自動設定との何れも選択することができる。
【考案の効果】
【００１５】
この考案によれば、設定時の気温を勘案して温度設定（外気温が０℃の場合の温度設定）をすれば、爾後外気温の変化に対応して湯温を自動制御できる。例えば外気温０℃の時の温水温度を設定すれば、外気温２０℃の時の温水温度は５６℃としてあり、外気温０℃〜２０℃の場合の温水の温度を正確に制御することができる効果がある。
【００１６】
またタイムスイッチによれば、１日２４時間の時間帯中、任意の時間帯（例えば午前１時〜３時まで）を設定温度の温水温度に保つことができる。
【００１７】
前記設定時間を経過すると同時に、タイムスイッチ設定前の自動温度調整に復帰できる効果がある。
【考案を実施するための最良の形態】
【００１８】
この考案は外気温測定用の外気センサと、温水温度測定用の温水センサとを接続した外気と温水の温度自動制御器と、設定時間帯の温水温度を設定し、温度を保持させる設定タイムスイッチとを組み合わせて、この考案の外気温に対応する温水温度調節装置を構成した。
【００１９】
前記において、温度自動制御器により所定の温度を設定すれば、爾後は、外気温に対応して、温水温度を自動的に制御することができる。
【実施例１】
【００２０】
この考案の実施例を図１、２、３について説明すると、電源スイッチ１を入れると共に制御スイッチ２を自動に切り替えた後に、外気補償部３の温度設定ボタン４ａ、４ｂを押して温度を９５℃に設定する。前記９５℃は、基準設定外気温は０℃となっている（図１）。
【００２１】
そこで外気温が１０℃ならば、温水温度は自動的に７５℃となる（図１）。即ち図１中最高温度設定の補償曲線５が成立するようにしてある。そこで、気温が２０℃になったならば、２０℃の垂直線と、前記補償曲線５との交点の温度５６℃が温水温度となる。外気温は外気センサ８（例えば、サーミスタを用いる）で測定される。
【００２２】
前記温水温度は、温水センサ６で測定され、温水温が５６℃未満の際は、ボイラーのバーナーを燃焼させて（図示してない）加温し、５６℃に達したならば、前記ボイラーのバーナーの燃焼を中止する。即ちバーナーの燃焼のＯＮ、ＯＦＦ（制御盤）によって、温水温度を制御する。この状態は自動制御により進行する。図中９は設定温度表示窓、１０は制御盤、１１は接続端子、１２は共通線、１３はノーマルオープン、１４はノーマルクロス、ＣＳ１はタイムスイッチ（７）、１５は切換スイッチ、１６は切替盤である。
【００２３】
前記切替盤１６は、タイムスイッチ７による切替時間の開始と終了を設定することができる。前記タイムスイッチ７の摘みにより、時間設定する。前記外気補償部は、温度設定と、外気センサからの入力に基づいて、温水温度制御を制御盤１０に指示し、温水温度を図１の関係を保つように自動制御する。
【００２４】
前記外気温と、温水温度との関係グラフ（図１）はボイラーの特性に対応するので、各ボイラー毎に作成し、外気補償部に記憶させる。
【００２５】
次に、一定の時間帯、例えば午前１時〜３時の温水温度を６０℃にしたい場合には、タイムスイッチ７に時間を設定し、外気補償部の温度設定ボタンで温度を設定する。
【００２６】
この場合に、午前１時までは、前記したように、温水温度は、外気温の変化につれて変化している（例えば外気温２０℃のとき温水温度は５６℃に調温される）。そこで午前１時になると、タイムスイッチの働きによって回路が切り替わり、前記設定温度（例えば６０℃）に調温され、そのまま午前３時まで継続する。そこで午前３時になると、タイムスイッチの設定が解除されるので、温水温度は自動制御の温水温度に調節され、外気温に対応して調温される。
【図面の簡単な説明】
【００２７】
【図１】この考案の外気温と温水温の関係を示すグラフ。
【図２】同じく制御装置の制御器と回路の結線図。
【図３】同じく一部を省略した回路図。
【符号の説明】
【００２８】
１  電源スイッチ
２  制御スイッチ
３  外気補償部
４ａ、４ｂ  温度設定ボタン
５  補償曲線
６  温水センサ
７  タイムスイッチ
８  外気センサ
１０  制御盤
【図１】
0003134180.tif 000003
【図２】
0003134180.tif 000004
【図３】
0003134180.tif 000005
【手続補正書】
【提出日】平成19年5月18日(2007.5.18)
【手続補正１】
【補正対象書類名】明細書
【補正対象項目名】００２２
【補正方法】変更
【補正の内容】
【００２２】
前記温水温度は、温水センサ６で測定され、温水温が５６℃未満の際は、ボイラーのバーナーを燃焼させて（図示してない）加温し、５６℃に達したならば、前記ボイラーのバーナーの燃焼を中止する。即ちバーナーの燃焼のＯＮ、ＯＦＦ（制御盤）によって、温水温度を制御する。この状態は自動制御により進行する。図中９は設定温度表示窓、１０は制御盤、１１は接続端子、ＣＳ１はセレクトスイッチ（７）、１５は切換スイッチ、１６はタイムスイッチである。
【手続補正２】
【補正対象書類名】明細書
【補正対象項目名】００２８
【補正方法】変更
【補正の内容】
【００２８】
１  電源スイッチ
２  制御スイッチ
３  外気補償部
４ａ、４ｂ  温度設定ボタン
５  補償曲線
６  温水センサ
７  セレクトスイッチ
８  外気センサ
１０  制御盤
１６  タイムスイッチ
【手続補正書】
【提出日】平成19年5月25日(2007.5.25)
【手続補正１】
【補正対象書類名】実用新案登録請求の範囲
【補正対象項目名】全文
【補正方法】変更
【補正の内容】
【実用新案登録請求の範囲】
【請求項１】
温水の温度自動制御器と、外気温測定用の外気センサと、温水温測定用の温水センサとを組み合わせて、外気温の変化に対応して前記温度自動制御器により温水温を調節することを特徴とした外気温に対応する温水温度調節装置。
【請求項２】
外気温測定用の外気センサと、温水温測定用の温水センサとを接続した温水の温度自動制御器と、設定時間帯の温水温を設定し、その温度を保持させるように設定できる設定タイムスイッチとを組み合わせたことを特徴とする請求項１記載の温水温度調節装置。
【手続補正２】
【補正対象書類名】明細書
【補正対象項目名】０００９
【補正方法】変更
【補正の内容】
【０００９】
即ちこの考案は、温水の温度自動制御器と、外気温測定用の外気センサと、温水温測定用の温水センサとを組み合わせて、外気温の変化に対応して前記温度自動制御器により温水温を調節することを特徴とした外気温に対応する温水温度調節装置である。
【手続補正３】
【補正対象書類名】明細書
【補正対象項目名】００１０
【補正方法】変更
【補正の内容】
【００１０】
また他の考案は、外気温測定用の外気センサと、温水温測定用の温水センサとを接続した温水の温度自動制御器と、設定時間帯の温水温を設定し、その温度を保持させるように設定できる設定タイムスイッチとを組み合わせたことを特徴とする請求項１記載の温水温度調節装置である。